(57)【要約】【課題】ユーザの操作を補助するガイド部がタッチパネルに装着される場合において、ユーザの操作性を向上させる。【解決手段】決定部７２は、ユーザの操作を補助するカバーパネルに応じて、所定の機能が割り当てられた操作子の配置、形状、および機能を表す操作子情報を決定する。表示制御部７３は、決定された操作子情報に基づいて操作子を表示させる。本発明は、例えば、ユーザの編集に関する操作を受け付ける編集装置に適用することができる。【選択図】図４
2008123163.tif 000002
【特許請求の範囲】
【請求項１】
ユーザの操作を補助するガイド部が装着されたタッチパネルを有する表示装置において、
所定の機能が割り当てられた操作子を表示する表示手段と、
前記表示手段に前記操作子を表示させる表示制御手段と、
前記ガイド部に応じて前記操作子の配置を決定する決定手段と
を備え、
前記表示制御手段は、決定された配置に基づいて前記操作子を表示させる
表示装置。
【請求項２】
前記ガイド部の種類を表す情報であるガイド部情報と、そのガイド部に対応する操作子の配置を表す配置情報とを対応付けて記録する記録手段と、
前記タッチパネルに装着されたガイド部のガイド部情報を認識する認識手段と
をさらに備え、
前記決定手段は、認識された前記ガイド部情報に応じて、前記記録手段から、そのガイド部情報に対応する前記配置情報を読み出し、その配置情報が表す配置を前記操作子の配置として決定する
請求項１に記載の表示装置。
【請求項３】
前記ガイド部は、前記ガイド部情報に対応する位置に穴部を有し、
前記認識手段は、前記穴部の位置に基づいて前記ガイド部情報を認識する
請求項２に記載の表示装置。
【請求項４】
前記ガイド部は、前記ガイド部情報を記憶する記憶手段を有し、
前記認識手段は、前記記憶手段から前記ガイド部情報を読み出すことにより、前記ガイド部情報を認識する
請求項２に記載の表示装置。
【請求項５】
前記記憶手段は、無線ＩＣタグである
請求項４に記載の表示装置。
【請求項６】
認識された前記ガイド部情報が前記記録手段に記録されていない場合、そのガイド部情報に対応する配置情報を取得する取得手段
をさらに備え、
前記記録手段は、認識された前記ガイド部情報と、取得された前記配置情報とを対応付けて記録する
請求項２に記載の表示装置。
【請求項７】
前記操作子は、前記ユーザによる直線方向または円周方向のスライド操作を受け付け、
前記ガイド部は、前記ユーザの直線方向または円周方向のスライド操作を補助する長方形または円形の穴部を有する
請求項１に記載の表示装置。
【請求項８】
ユーザの操作を補助するガイド部が装着されたタッチパネルを有する表示装置の表示方法において、
前記ガイド部に応じて、所定の機能が割り当てられた操作子の配置を決定し、
決定された配置に基づいて前記操作子を表示させる
ステップを含む表示方法。
【請求項９】
ユーザの操作を補助するガイド部が装着されたタッチパネルを有する表示装置を制御するコンピュータに行わせるプログラムにおいて、
前記ガイド部に応じて、所定の機能が割り当てられた操作子の配置を決定し、
決定された配置に基づいて前記操作子を表示させる
ステップを含むプログラム。
【発明の詳細な説明】
【技術分野】
【０００１】
本発明は、表示装置および表示方法、並びにプログラムに関し、特に、ユーザの操作を補助するガイド部がタッチパネルに装着される場合において、ユーザの操作性を向上させることができるようにした表示装置および表示方法、並びにプログラムに関する。
【背景技術】
【０００２】
近年、ユーザが指先などで直接画面に触れることにより操作可能なタッチパネルを用いたタッチスクリーンなどの機器が普及している。
【０００３】
しかしながら、タッチスクリーンは、基本的に平面であり、手掛かりがないため、ディスプレイに表示されているボタンを操作しにくかった。そこで、手掛かりとなるガイド板をタッチスクリーンに装着することが考案されている(例えば、特許文献１参照)。
【特許文献１】特開平１１−３２７７８７号公報
【発明の開示】
【発明が解決しようとする課題】
【０００４】
しかしながら、ユーザの利き手などの身体的条件、ユーザが必要とする機能の数や内容などによって、使い勝手の良いボタンの配置は異なるため、全てのユーザが同一のガイド板を用いて操作を行う場合、使い勝手が悪いことがある。
【０００５】
本発明は、このような状況に鑑みてなされたものであり、ユーザの操作を補助するガイド部がタッチパネルに装着される場合において、ユーザの操作性を向上させることができるようにするものである。
【課題を解決するための手段】
【０００６】
本発明の一側面の表示装置は、ユーザの操作を補助するガイド部が装着されたタッチパネルを有する表示装置において、所定の機能が割り当てられた操作子を表示する表示手段と、前記表示手段に前記操作子を表示させる表示制御手段と、前記ガイド部に応じて前記操作子の配置を決定する決定手段とを備え、前記表示制御手段は、決定された配置に基づいて前記操作子を表示させる。
【０００７】
本発明の一側面の表示装置は、前記ガイド部の種類を表す情報であるガイド部情報と、そのガイド部に対応する操作子の配置を表す配置情報とを対応付けて記録する記録手段と、前記タッチパネルに装着されたガイド部のガイド部情報を認識する認識手段とをさらに設け、前記決定手段は、認識された前記ガイド部情報に応じて、前記記録手段から、そのガイド部情報に対応する前記配置情報を読み出し、その配置情報が表す配置を前記操作子の配置として決定することができる。
【０００８】
本発明の一側面の表示装置では、前記ガイド部が、前記ガイド部情報に対応する位置に穴部を有し、前記認識手段は、前記穴部の位置に基づいて前記ガイド部情報を認識することができる。
【０００９】
本発明の一側面の表示装置では、前記ガイド部が、前記ガイド部情報を記憶する記憶手段を有し、前記認識手段は、前記記憶手段から前記ガイド部情報を読み出すことにより、前記ガイド部情報を認識することができる。
【００１０】
前記記憶手段は、無線ＩＣタグであるようにさせることができる。
【００１１】
本発明の一側面の表示装置は、認識された前記ガイド部情報が前記記録手段に記録されていない場合、そのガイド部情報に対応する配置情報を取得する取得手段をさらに設け、前記記録手段は、認識された前記ガイド部情報と、取得された前記配置情報とを対応付けて記録することができる。
【００１２】
前記操作子は、前記ユーザによる直線方向または円周方向のスライド操作を受け付け、前記ガイド部は、前記ユーザの直線方向または円周方向のスライド操作を補助する長方形または円形の穴部を有することができる。
【００１３】
本発明の一側面の表示方法は、ユーザの操作を補助するガイド部が装着されたタッチパネルを有する表示装置の表示方法において、前記ガイド部に応じて、所定の機能が割り当てられた操作子の配置を決定し、決定された配置に基づいて前記操作子を表示させるステップを含む。
【００１４】
本発明の一側面のプログラムは、ユーザの操作を補助するガイド部が装着されたタッチパネルを有する表示装置を制御するコンピュータに行わせるプログラムにおいて、前記ガイド部に応じて、所定の機能が割り当てられた操作子の配置を決定し、決定された配置に基づいて前記操作子を表示させるステップを含む。
【００１５】
本発明の一側面においては、ユーザの操作を補助するガイド部に応じて、所定の機能が割り当てられた操作子の配置が決定され、決定された配置に基づいて前記操作子が表示される。
【発明の効果】
【００１６】
以上のように、本発明の一側面によれば、ユーザは操作を行うことができる。
【００１７】
また、本発明の一側面によれば、ユーザの操作を補助するガイド部がタッチパネルに装着される場合において、ユーザの操作性を向上させることができる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の一側面の表示装置は、ユーザの操作を補助するガイド部(例えば、図１のカバーパネル２３)が装着されたタッチパネル(例えば、図１のタッチパネル２１)を有する表示装置(例えば、図１の編集装置１０)において、
所定の機能が割り当てられた操作子(例えば、図１の操作子４１)を表示する表示手段(例えば、図１のディスプレイ２２)と、
前記表示手段に前記操作子を表示させる表示制御手段(例えば、図４の表示制御部７３)と、
前記ガイド部に応じて前記操作子の配置を決定する決定手段(例えば、図４の決定部７２)と、
を備え、
前記表示制御手段は、決定された配置に基づいて前記操作子を表示させる。
【００２０】
本発明の一側面の表示装置は、
前記ガイド部の種類を表す情報であるガイド部情報と、そのガイド部に対応する操作子の配置を表す配置情報とを対応付けて記録する記録手段(例えば、図３の記録部５８)と
前記タッチパネルに装着されたガイド部のガイド部情報を認識する認識手段(例えば、図４のＩＤ認識部７１)と
をさらに備え、
前記決定手段は、認識された前記ガイド部情報に応じて、前記記録手段から、そのガイド部情報に対応する前記配置情報を読み出し、その配置情報が表す配置を前記操作子の配置として決定する。
【００２１】
本発明の一側面の表示装置は、
認識された前記ガイド部情報が前記記録手段に記録されていない場合、そのガイド部情報に対応する配置情報を取得する取得手段(例えば、図４の取得部７４)
をさらに備え、
前記記録手段は、認識された前記ガイド部情報と、取得された前記配置情報とを対応付けて記録する。
【００２２】
本発明の一側面の表示方法は、
ユーザの操作を補助するガイド部(例えば、図１のカバーパネル２３)が装着されたタッチパネル(例えば、図１のタッチパネル２１)を有する表示装置(例えば、図１の編集装置１０)の表示方法において、
前記ガイド部に応じて、所定の機能が割り当てられた操作子の配置を決定し(例えば、図１３のステップＳ４)、
決定された配置に基づいて前記操作子を表示させる(例えば、図１３のステップＳ４)
ステップを含む。
【００２３】
以下、本発明を適用した具体的な実施の形態について、図面を参照しながら詳細に説明する。
【００２４】
図１は、本発明を適用した編集装置の一実施の形態の構成例を示す斜視図である。
【００２５】
図１の編集装置１０の筐体２０の上面の中央には、タッチパネル２１が積層されたディスプレイ２２が設けられている。このディスプレイ２２には、図中奥側に、編集対象とする画像などを表示する領域である画像領域３１が設けられ、図中手前側に、編集に関する機能が割り当てられた操作子４１を表示する領域である操作子領域３２が設けられている。
【００２６】
なお、画像領域３１と操作子領域３２の表示の詳細については、図５と図１０や図１２で後述する。また、操作子４１は、操作子領域３２に表示される全ての操作子の総称である。
【００２７】
また、タッチパネル２１の操作子領域３２に対応する領域には、ユーザの操作子４１に対する操作を補助するカバーパネル２３が装着される。このカバーパネル２３は透明な素材で構成され、これにより、ユーザは、カバーパネル２３とタッチパネル２１を介して、操作子領域３２に表示される文字などを視認することができる。
【００２８】
カバーパネル２３が装着されるタッチパネル２１の領域内の、図中右手前側には、カバーパネル２３の種類を認識するためのプッシュスイッチ部２４が設けられている。このプッシュスイッチ部２４の詳細については、図６や図７で後述する。さらに、筐体２０の上面の右手前側、即ち、カバーパネル２３の右側には、操作子４１の配置の設定を指示するための設定ボタン２５が設けられている。
【００２９】
編集装置１０は、ディスプレイ２２に表示される操作子４１に対する操作を検知し、その操作に応じてノンリニア編集を行う。
【００３０】
なお、以下の説明における方向は、編集装置を操作するユーザの視点に立った方向を指すものとし、図１の左右方向を左右方向、手前側を操作子領域３２側、奥側を画像領域３１側とし、筐体２０のタッチパネル２１側の面を上面、その裏側の面を底面とする。
【００３１】
次に、図２を参照して、図１のカバーパネル２３について説明する。
【００３２】
図２は、図１の編集装置１０の図１のＡ方向から見た側断面図である。なお、図２においては、説明の便宜上、ディスプレイ２２に表示される操作子４１の周辺のみを示している。
【００３３】
図２に示すように、カバーパネル２３の操作子４１に対応する領域には、タッチパネル２１と接する底面から上面に向かって大きくなるように穴部４２が設けられている。これにより、ユーザは、穴部４２を手掛かりにして、指４３の感触で操作子４１の位置を認識することができる。その結果、ユーザは、ブラインドタッチを行うことができる。
【００３４】
以上のように、カバーパネル２３は、穴部４２を設けることにより、ユーザの操作子４１に対する操作を補助する。
【００３５】
図３は、図１の編集装置１０の構成例を示すブロック図である。
【００３６】
図３のCPU（Central Processing Unit）５１は、ROM（Read Only Memory）５２、または記録部５８に記憶されているプログラムにしたがって各種の処理を実行する。RAM（Random Access Memory）５３には、CPU５１が実行するプログラムやデータなどが適宜記憶される。これらのCPU５１、ROM５２、およびRAM５３は、バス５４により相互に接続されている。なお、CPU５１、ROM５２、およびRAM５３は、マイクロコンピュータにより構成されるようにしてもよい。
【００３７】
CPU５１にはまた、バス５４を介して入出力インターフェース５５が接続されている。入出力インターフェース５５には、図１のタッチパネル２１、プッシュスイッチ部２４、設定ボタン２５などよりなる入力部５６、ディスプレイ２２などよりなる出力部５７が接続されている。
【００３８】
タッチパネル２１は、ユーザの操作による接触を検知し、その接触を検知した位置を表す操作位置情報をCPU５１に入力する。プッシュスイッチ部２４は、圧力を感知し、その圧力を感知した位置を表す圧力位置情報をCPU５１に入力する。設定ボタン２５は、ユーザによる押下を検出し、その検出の有無を表す設定ボタン情報をCPU５１に入力する。
【００３９】
CPU５１は、例えば、入力部５６からの入力に対応して各種の処理を実行し、処理の結果を出力部５７に出力する。
【００４０】
例えば、CPU５１は、プッシュスイッチ部２４から入力される圧力位置情報に対応して、タッチパネル２１に装着されているカバーパネル２３のＩＤ（以下、カバーパネルＩＤという）を認識する。そして、CPU５１は、認識したカバーパネルＩＤに基づいて、例えば、カバーパネル２３に設けられた穴部４２（図２）に対応する、出力部５７のディスプレイ２２の操作子領域３２(図１)内の位置に、操作子４１を表示させる。なお、カバーパネルＩＤは、カバーパネル２３の種類ごとに異なるものであり、カバーパネル２３に予め付与されている。
【００４１】
また、CPU５１は、タッチパネル２１から入力される操作位置情報に対応して、後述する記録部５８に記録されている画像や音声のデータである素材データをノンリニア編集する編集処理を行う。具体的には、CPU５１は、タッチパネル２１から入力される操作位置情報に対応して、素材データの編集結果に関する情報であるエディットリストを作成し、記録部５８に記録させる。CPU５１は、エディットリストにしたがって、記録部５８に記録に記録されている画像を再生することにより、編集結果に対応する画像を出力部５７のディスプレイ２２に表示させる。
【００４２】
入出力インターフェース５５に接続されている記録部５８は、例えばハードディスクからなり、CPU５１が実行するプログラムや各種のデータを記録する。例えば、記録部５８は、クリップ単位の素材データと、各編集処理で作成されるエディットリストをファイルとして記録する。なお、クリップとは、１回の撮影処理（撮影開始から撮影終了までの撮影処理）により得られた素材データを指す。
【００４３】
通信部５９は、インターネットやローカルエリアネットワークなどのネットワークを介して外部の装置と通信する。例えば、通信部５９は、ネットワークを介して外部の装置から、カバーパネル２３の穴部４２に対応する操作子４１の配置、形状、および機能を表す操作子情報を取得し、記録部５８に記録する。
【００４４】
入出力インターフェース５５に接続されているドライブ６０は、磁気ディスク、光ディスク、光磁気ディスク、或いは半導体メモリなどのリムーバブルメディア６１が装着されたとき、それらを駆動し、そこに記録されているプログラムやデータなどを取得する。取得されたプログラムやデータは、必要に応じて記録部５８に転送され、記録される。なお、プログラムは、通信部５９を介して取得され、記録部５８に記録されてもよい。
【００４５】
図４は、図３のCPU５１の機能的構成例を示すブロック図である。
【００４６】
図４のCPU５１は、ＩＤ認識部７１、決定部７２、表示制御部７３、取得部７４、指令部７５、および編集部７６により構成される。
【００４７】
ＩＤ認識部７１は、プッシュスイッチ部２４から入力される圧力位置情報と、設定ボタン２５から入力される設定ボタン情報とに基づいて、タッチパネル２１に装着されたカバーパネル２３のカバーパネルＩＤを認識する。ＩＤ認識部７１は、カバーパネルＩＤを決定部７２に供給する。
【００４８】
決定部７２は、ＩＤ認識部７１から供給されるカバーパネルＩＤに基づいて、そのカバーパネルＩＤに対応する操作子情報を記録部５８（図３）から読み出し、その操作子情報をタッチパネル２１に装着されているカバーパネル２３の操作子情報として決定する。そして、決定部７２は、その操作子情報を表示制御部７３と指令部７５に供給する。
【００４９】
また、決定部７２は、指令部７５から供給される指令に応じて、取得部７４から供給される操作子情報を、タッチパネル２１に装着されているカバーパネル２３の操作子情報として決定し、ＩＤ認識部７１から供給されるカバーパネルＩＤと対応付けて記録部５８に記録させる。さらに、決定部７２は、その操作子情報を表示制御部７３と指令部７５に供給する。
【００５０】
表示制御部７３は、決定部７２から供給される操作子情報に基づいて、ディスプレイ２２の操作子領域３２に操作子４１を表示させる。
【００５１】
取得部７４は、指令部７５から供給される指令に応じて、図３の通信部５９を制御し、ネットワークを介して外部の装置から操作子情報を取得し、その操作子情報を決定部７２に供給する。
【００５２】
指令部７５は、タッチパネル２１から入力される操作位置情報に基づいて、決定部７２または取得部７４に各種の指令を供給する。また、指令部７５は、タッチパネル２１から入力される操作位置情報と、決定部７２から供給される操作子情報とに基づいて、編集部７６に各種の指令を供給する。
【００５３】
編集部７６は、指令部７５から供給される指令に応じて、編集に関する処理を行う。例えば、編集部７６は、記録部５８に記録されている素材データをノンリニア編集する。これにより、記録部５８には、エディットリストが記録される。また、編集部７６は、指令部７５から供給される指令に応じて、記録部５８から素材データを読み出し、その素材データに対応する画像を画像領域３１に表示させる。
【００５４】
図５は、図１の画像領域３１に表示される画面の例を示している。
【００５５】
図５の画像領域３１は、画像表示領域８１および８２、タイムコード表示領域８３および８４、並びにタイムライン表示領域８５により構成される。
【００５６】
画像表示領域８１には、素材データの再生が指示されたとき、その素材データに対応する画像が表示される。画像表示領域８２には、エディットリストにしたがう編集結果の再生が指示されたとき、その編集結果に対応する画像が表示される。
【００５７】
タイムコード表示領域８３には、画像表示領域８１に表示されている画像のFTC（File Time Code）が左側に表示され、その画像に対応するクリップの終端のFTCが右側に表示される。なお、このFTCは、各ファイルの先頭フレームの番号を「0」とし、その先頭フレームから順番に、各フレームに割り当てられる相対的な位置情報である。
【００５８】
タイムコード表示領域８４には、画像表示領域８２に表示されている画像の、編集結果を１ファイルとしたときのFTCが左側に表示される。また、タイムコード表示領域８４には、画像表示領域８２に表示されている画像に対応する編集結果を１ファイルとしたときの終端のFTCが右側に表示される。
【００５９】
タイムライン表示領域８５には、画像表示領域８２に表示されている画像に対応する編集結果のうちの画像データの時系列の情報を表示する画像ライン領域９１、その編集結果のうちの音声データの時系列の情報を表示する音声ライン領域９２、およびポインタ９３が表示される。
【００６０】
画像ライン領域９１には、画像を表す「ビデオ」という文字が左側に表示され、画像ライン９１Ａが右側に表示される。画像ライン９１Ａは、横軸が編集結果を１ファイルとしたときのFTCを表す四角形であり、クリップ単位の編集結果の先頭位置のFTCに対応する位置で区切られている。
【００６１】
なお、画像ライン９１Ａにおいて、クリップ単位の編集結果の各先頭位置に対応する位置で区切られることにより形成される四角形は、クリップ単位の編集結果のうちの画像データを表しており、その四角形の中には、その画像データに対応するサムネイル画像が表示されてもよい。
【００６２】
音声ライン領域９２には、音声を表す「オーディオ」という文字が左側に表示され、音声ライン９２Ａが右側に表示される。音声ライン９２Ａは、横軸が編集結果を１ファイルとしたときのFTCを表す四角形であり、編集結果として出力可能な音声データのチャネルの数に縦方向に分割されている。図４の例では、編集結果として出力可能な音声データのチャネルの数は２つであり、音声ライン９２Ａは、縦方向に２つに分割されている。２つに分割された四角形のそれぞれには、対応するチャネルの音声の信号のレベルが表示される。
【００６３】
ポインタ９３は、編集結果における、画像表示領域８２に表示されている画像の位置を表している。ポインタ９３は、画像ライン領域９１と音声ライン領域９２上の、画像表示領域８２に表示されている画像のFTCに対応する位置に表示される。
【００６４】
次に、図６と図７を参照して、編集装置１０におけるカバーパネルＩＤの認識について説明する。
【００６５】
なお、図６と図７において、カバーパネルＩＤは12ビットで表される。
【００６６】
まず最初に、図６を参照して、カバーパネルＩＤを表す全てのビットが1である場合について説明する。
【００６７】
図６の例の場合、カバーパネルＩＤが12ビットで表されるので、図６のＡに示すように、プッシュスイッチ部２４は、筐体２０のタッチパネル２１の上部に設けられた１２個のプッシュスイッチ１０１−１乃至１０１−１２から構成される。また、プッシュスイッチ部２４の右側の筐体２０の上部には、設定ボタン２５が設けられている。
【００６８】
一方、カバーパネル２３の手前側の面は、図６のＢに示すようになっており、カバーパネル２３の底面は、図６のＣに示すようになっている。即ち、カバーパネル２３の底面には、各プッシュスイッチ１０１−１乃至１０１−１２に対応する位置に、カバーパネル２３のカバーパネルＩＤを表す１２個の穴部１０２−１乃至１０２−１２が設けられている。
【００６９】
各穴部１０２−１乃至１０２−１２は、カバーパネルＩＤの各ビットに対応しており、穴部１０２−１乃至１０２−１２は、対応するビットが１である場合に設けられ、ビットが0である場合には設けられない。図６の例では、カバーパネルＩＤの全てのビットが1であるので、全てのビットに対応する１２個の穴部１０２−１乃至１０２−１２が設けられている。
【００７０】
タッチパネル２１にカバーパネル２３が装着される場合、カバーパネル２３の各穴部１０２−１乃至１０２−１２には、タッチパネル２１の各プッシュスイッチ１０１−１乃至１０１−１２が挿入される。ここで、穴部１０２−１乃至１０２−１２は、プッシュスイッチ１０１−１乃至１０１−１２に比べて大きくなっており、プッシュスイッチ１０１−１乃至１０１−１２が穴部１０２−１乃至１０２−１２に挿入される場合、プッシュスイッチ１０１−１乃至１０１−１２は押下されない。
【００７１】
従って、プッシュスイッチ部２４を構成する全てのプッシュスイッチ１０１−１乃至１０１−１２は圧力を感知せず、プッシュスイッチ部２４は、圧力を感知した位置がないことを表す圧力位置情報をＩＤ認識部７１に供給する。これにより、ＩＤ認識部７１は、カバーパネル２３のカバーパネルＩＤを表す全てのビットが1であることを認識する。
【００７２】
次に、図７を参照して、カバーパネルＩＤを表す、最上位ビット、下から３桁目のビット、および最下位ビットが1であり、その他のビットが0である場合について説明する。なお、図６と同一のものには同一の符号を付してあり、説明は適宜省略する。
【００７３】
図７の例の場合も、図６の例の場合と同様に、カバーパネルＩＤが12ビットで表されるので、図７のＡに示すように、プッシュスイッチ部２４は、筐体２０のタッチパネル２１の上部に設けられた１２個のプッシュスイッチ１０１−１乃至１０１−１２から構成される。
【００７４】
一方、カバーパネル２３の手前側の面は、図７のＢに示すようになっており、カバーパネル２３の底面は、図７のＣに示すようになっている。即ち、図７の例では、カバーパネルＩＤを表す、最上位ビット、下から３桁目のビット、および最下位ビットが1であり、その他のビットが0であるので、カバーパネル２３の底面には、１２個のプッシュスイッチ１０１−１乃至１０１−１２のうち、プッシュスイッチ１０１−１，１０１−１０、および１０１−１２に対応する位置に、カバーパネル２３のカバーパネルＩＤを表す３個の穴部１０２−１，１０２−１０、および１０２−１２が設けられている。
【００７５】
タッチパネル２１にカバーパネル２３が装着される場合、カバーパネル２３の穴部１０２−１には、タッチパネル２１のプッシュスイッチ１０１−１が、穴部１０２−１０にはプッシュスイッチ１０１−１０が、穴部１０２−１２にはプッシュスイッチ１０１−１２がそれぞれ挿入される。従って、プッシュスイッチ１０１−１，１０１−１０、および１０１−１２は押下されない。
【００７６】
しかしながら、１２個のプッシュスイッチ１０１−１乃至１０１−１２のうち、プッシュスイッチ１０１−１，１０１−１０、および１０１−１２以外のプッシュスイッチ１０１−２乃至１０１−９および１０１−１１に対応する、カバーパネル２３の位置には穴部が設けられていないので、プッシュスイッチ１０１−２乃至１０１−９および１０１−１１は押下される。
【００７７】
従って、プッシュスイッチ部２４を構成するプッシュスイッチ１０１−１乃至１０１−１２のうち、プッシュスイッチ１０１−２乃至１０１−９および１０１−１１は圧力を感知し、プッシュスイッチ部２４は、圧力を感知したプッシュスイッチ１０１−２乃至１０１−９および１０１−１１に対応する位置を表す圧力位置情報を、ＩＤ認識部７１に供給する。これにより、ＩＤ認識部７１は、カバーパネル２３のカバーパネルＩＤを表す最上位ビット、下から３桁目のビット、および最下位ビットが1であり、その他のビットが0であることを認識する。
【００７８】
次に、図８と図９は、図３の記録部５８に記録されている情報について説明する。
【００７９】
図８に示すように、記録部５８には、カバーパネルＩＤに、そのカバーパネルＩＤが付与されたカバーパネル２３の種類が対応付けられた種類情報が記録される。
【００８０】
図８の種類情報では、カバーパネルＩＤである12ビットの値「100000000001」、「100000000010」、「100000000011」、「100000000100」、「100000000101」に、カバーパネル２３の種類である「STANDARD EDITOR」、「EDITOR FOR LEFT HANDER」、「EDITOR WITH 8CH AUDIO」、「EDITOR FOR VIDEO EFFECT(1)」、「EDITOR FOR VIDEO EFFECT(2)」が対応付けられている。
【００８１】
種類が「STANDARD EDITOR」であるカバーパネル２３には、標準的な右利きのユーザの使い勝手が良いように配置される操作子４１に対応する穴部４２（図２）が設けられている。種類が「EDITOR FOR LEFT HANDER」であるカバーパネル２３には、左利きのユーザの使い勝手が良いように配置される操作子４１に対応する穴部４２が設けられている。種類が「EDITOR WITH 8CH AUDIO」であるカバーパネル２３には、出力可能な音声のチャネルの数が８つである場合の操作子４１に対応する穴部４２が設けられている。
【００８２】
種類が「EDITOR FOR VIDEO EFFECT(1)」であるカバーパネル２３には、画像に対して各種の効果を付与する場合の操作子４１に対応する穴部４２が設けられている。種類が「EDITOR FOR VIDEO EFFECT(2)」であるカバーパネル２３には、種類が「EDITOR FOR VIDEO EFFECT(1)」であるカバーパネル２３とは異なる、画像に対して各種の効果を付与する場合の操作子４１に対応する穴部４２が設けられている。
【００８３】
また、図９に示すように、記録部５８には、カバーパネル２３の種類に対応付けて、そのカバーパネル２３の穴部４２に対応する操作子４１の操作子情報が記録される。
【００８４】
なお、図９は、種類「STANDARD EDITOR」に対応付けて記録されている操作子情報を示している。
【００８５】
図９に示すように、操作子情報は、操作子４１の機能を表す操作子４１の名前に、その操作子４１の中心の操作子領域３２上の横方向の位置（X）および縦方向の位置（Y）、並びに操作子４１の縦方向の長さ（H）および横方向の長さ（W）、または操作子の直径（D）が対応付けられることにより構成される。なお、以下では、操作子領域３２上の位置は、操作子領域３２の左下を原点として表すものとする。
【００８６】
図９の例では、操作子情報として、例えば、名前「VIDEO SOURCE BUTTON」に、操作子４１の中心の操作子領域３２上の横方向の位置「204」および縦方向の位置「80」、並びに操作子４１の縦方向の長さ「12」および横方向の長さ「12」が対応付けられている。即ち、名前が「VIDEO SOURCE BUTTON」である操作子４１は、操作子領域３２上の横方向の位置が「204」であり、縦方向の位置が「80」である位置を中心として、縦方向の長さが「12」であり、横方向の長さが「12」である正方形で表示される。
【００８７】
また、図９の例では、操作子情報として、名前「VIDEO DESTINATION BUTTON」に、操作子４１の中心の操作子領域３２上の横方向の位置「220」および縦方向の位置「80」、操作子４１の縦方向の長さ「12」および横方向の長さ「12」が対応付けられている。
【００８８】
さらに、図９の例では、操作子情報として、名前「VIDEO REWIND BUTTON」に、操作子４１の中心の操作子領域３２上の横方向の位置「190」および縦方向の位置「53」、並びに操作子４１の直径「12」が対応付けられている。即ち、名前が「VIDEO REWIND BUTTON」である操作子４１は、操作子領域３２上の横方向の位置が「190」であり、縦方向の位置が「53」である位置を中心として、直径が「12」である円形で表示される。
【００８９】
説明は省略するが、他の操作子４１についても同様に、操作子情報として、操作子４１の名前に、その操作子４１の中心の操作子領域３２上の横方向の位置および縦方向の位置、並びに操作子４１の縦方向の長さおよび横方向の長さ、または操作子の直径が対応付けられている。
【００９０】
図１０は、図９の操作子情報に基づいて操作子４１が表示された操作子領域３２の画面を示している。
【００９１】
図１０に示すように、図９の操作子情報のうちの、名前「VIDEO SOURCE BUTTON」に対応する情報に基づいて、操作子１１１が、操作子領域３２上の横方向の位置が「204」であり、縦方向の位置が「80」である位置を中心として、縦方向の長さが「12」であり、横方向の長さが「12」である正方形で表示される。即ち、操作子１１１は、操作子領域３２の右上側の、カバーパネル２３に設けられた正方形の穴部４２に対応する位置に、一辺が12の正方形で表示される。
【００９２】
なお、操作子１１１の内部には、編集元（SOURCE）を表す「SRC」という文字が表示され、操作子１１１は、編集元である素材データの再生に関する指示を行うときに操作される。ユーザは、操作子１１１を操作した後、後述する操作子１１３乃至１２２を操作することにより、素材データの再生に関する各種の指示を行うことができる。
【００９３】
また、図９の操作子情報のうちの、名前「VIDEO DESTINATION BUTTON」に対応する情報に基づいて、操作子１１２が、操作子領域３２上の横方向の位置が「220」であり、縦方向の位置が「80」である位置を中心として、縦方向の長さが「12」であり、横方向の長さが「12」である正方形で表示される。即ち、操作子１１２は、操作子１１１の右側の、カバーパネル２３に設けられた正方形の穴部４２に対応する位置に表示される。
【００９４】
なお、操作子１１２の内部には、編集先（DESTINATION）を表す「DST」という文字が表示され、操作子１１２は、編集先である編集結果の再生に関する指示を行うときに操作される。ユーザは、操作子１１２を操作した後、後述する操作子１１３乃至１２２を操作することにより、編集結果の再生に関する各種の指示を行うことができる。また、操作子１１１と１１２の上側には、操作子１１１乃至１２２の全体の機能である再生制御の指示を表す「PLAYBACK CONTROL」という文字が表示される。
【００９５】
さらに、図９の操作子情報のうちの、名前「VIDEO REWIND BUTTON」に対応する情報に基づいて、操作子１１３が、操作子領域３２上の横方向の位置が「190」であり、縦方向の位置が「53」である位置を中心として、直径が「12」である円形で表示される。即ち、操作子１１３は、操作子１１１の左下側の、カバーパネル２３に設けられた円形の穴部４２に対応する位置に表示される。なお、操作子１１３の内部には、巻き戻し（REWIND）を表すマークが表示され、操作子１１３は、素材データまたは編集結果の巻き戻し再生を指示するときに操作される。
【００９６】
他の操作子１１４乃至１３９についても同様に、図９の操作子情報に基づいて、カバーパネル２３に設けられた穴部４２に対応する位置に表示される。具体的には、操作子１１４は、操作子１１３の右上側の、カバーパネル２３に設けられた円形の穴部４２に対応する位置に、内部に停止（STOP）を表すマークが表示された円形で表示され、素材データまたは編集結果の再生の停止を指示するときに操作される。
【００９７】
操作子１１５は、操作子１１４の右側の、カバーパネル２３に設けられた円形の穴部４２に対応する位置に、内部に再生（PLAY）を表すマークが表示された円形で表示され、素材データまたは編集結果の再生を指示するときに操作される。操作子１１６は、操作子１１５の右下側の、カバーパネル２３に設けられた円形の穴部４２に対応する位置に、内部に早送りを表すマークが表示された円形で表示され、素材データまたは編集結果の早送り再生を指示するときに操作される。
【００９８】
操作子１１７は、操作子１１４と１１５の下側の、カバーパネル２３に設けられた円形の穴部４２に対応する位置に円形で表示され、素材データまたは編集結果の再生位置の移動を指示するときに、円周方向にスライド操作される。例えば、ユーザは、操作子１１７内を円周に沿って時計回りにスライド操作することにより、再生位置の後方への移動を指示したり、操作子１１７内を円周に沿って半時計周りにスライド操作することにより、再生位置の前方への移動を指示する。
【００９９】
操作子１１８は、操作子１１７の左側の、カバーパネル２３に設けられた正方形の穴部４２に対応する位置に、ジョグモードとシャトルモードを表す「JOG/SHTL」という文字が表示された正方形で表示され、操作子１１７のモードをジョグモードまたはシャトルモードに設定するための指示を行うときに操作される。なお、ジョグモードとは、操作位置の移動に応じて再生位置を移動させるモードであり、シャトルモードとは、操作位置の移動に応じて再生速度を変化させるモードである。
【０１００】
操作子１１９は、操作子１１８の左側の、カバーパネル２３に設けられた正方形の穴部４２に対応する位置に、前（PREVIOUS）を表す「PREV」という文字が表示された正方形で表示され、１つ前のクリップの先頭位置への再生位置の移動を指示するときに操作される。操作子１２０は、操作子１１９の右側かつ操作子１１８の左側の、カバーパネル２３に設けられた正方形の穴部４２に対応する位置に、次（NEXT）を表す「NEXT」という文字が表示された正方形で表示され、１つ次のクリップの先頭位置への再生位置の移動を指示するときに操作される。
【０１０１】
操作子１２１は、操作子１１９の下側の、カバーパネル２３に設けられた正方形の穴部４２に対応する位置に、１つ前を表す「−１」という文字が表示された正方形で表示され、１つ前のフレームへの再生位置の移動を指示するときに操作される。操作子１２２は、操作子１２０の下側の、カバーパネル２３に設けられた正方形の穴部４２に対応する位置に、１つ次を表す「＋１」という文字が表示された正方形で表示され、１つ次のフレームへの再生位置の移動を指示するときに操作される。
【０１０２】
以上のように、操作子１１１乃至１２２は、素材データまたは編集結果の再生を制御するための操作子であり、ユーザが編集作業を行う際に頻繁に操作する可能性が高い。従って、標準的な右利きのユーザの使い勝手が良いように、種類が「STANDARD EDITOR」であるカバーパネル２３では、操作子１１１乃至１２２に対応する穴部４２が、操作子領域３２の、より右側に対応する位置に設けられている。
【０１０３】
操作子１２３は、操作子１１９の上側の、カバーパネル２３に設けられた正方形の穴部４２に対応する位置に、イン点を表す「IN」という文字が表示された正方形で表示され、いまの再生位置を音声のイン点として指示するときに操作される。なお、操作子１２３の左側には、音声を表す「AUDIO」という文字が表示される。
【０１０４】
操作子１２４は、操作子１２３の右側の、カバーパネル２３に設けられた正方形の穴部４２に対応する位置に、アウト点を表す「OUT」という文字が表示された正方形で表示され、いまの再生位置を音声のアウト点として指示するときに操作される。
【０１０５】
操作子１２５は、操作子１１９の上側かつ操作子１２３の下側の、カバーパネル２３に設けられた正方形の穴部４２に対応する位置に、イン点を表す「IN」という文字が表示された正方形で表示され、いまの再生位置を画像のイン点として指示するときに操作される。なお、操作子１２５の左側には、画像を表す「VIDEO」という文字が表示される。
【０１０６】
操作子１２６は、操作子１２０の上側かつ操作子１２４の下側の、カバーパネル２３に設けられた正方形の穴部４２に対応する位置に、アウト点を表す「OUT」という文字が表示された正方形で表示され、いまの再生位置を画像のアウト点として指示するときに操作される。
【０１０７】
操作子１２７は、操作子１２３の右上側かつ操作子１２４の左上側の、カバーパネル２３に設けられた正方形の穴部４２に対応する位置に、編集を表す「EDIT」という文字が表示された正方形で表示され、操作子１２５乃至１２８により指示された素材データのイン点からアウト点までを、いまの編集結果の再生位置に挿入するための指示を行うときに操作される。なお、操作子１２７の左側には、操作子１２３乃至１２８の全体の機能である編集の指示を表す「EDIT」という文字が表示される。
【０１０８】
操作子１２８は、操作子１２３の左下側かつ操作子１２５の左上側の、カバーパネル２３に設けられた正方形の穴部４２に対応する位置に、消去を表す「DELETE」という文字が表示された正方形で表示され、操作子１２３乃至１２６により指示された編集結果のイン点からアウト点までを消去するための指示を行うときに操作される。
【０１０９】
操作子１２９は、操作子領域３２の左上側の、カバーパネル２３に設けられた正方形の穴部４２に対応する位置に正方形で表示され、画像表示領域８２(図５)に表示されている画像に対するズームイン効果の付加を指示するときに操作される。なお、操作子１２９の下側には、ズームイン効果を表す「ZOOM IN」が表示される。
【０１１０】
操作子１３０は、操作子１２９の右側の、カバーパネル２３に設けられた正方形の穴部４２に対応する位置に正方形で表示され、画像表示領域８２に表示されている画像に対するズームアウト効果の付加を指示するときに操作される。なお、操作子１３０の下側には、ズームアウト効果を表す「ZOOM OUT」が表示される。また、操作子１２９と１３０の上側には、操作子１２９乃至１３４の全体の機能である画像効果を付加するための指示を表す「VIDEO EFFECT」という文字が表示される。
【０１１１】
操作子１３１は、操作子１２９の下側の、カバーパネル２３に設けられた正方形の穴部４２に対応する位置に正方形で表示され、画像表示領域８２に表示されている画像に対するフェードイン効果の付加を指示するときに操作される。なお、操作子１３１の下側には、フェードイン効果を表す「FADE IN」が表示される。
【０１１２】
操作子１３２は、操作子１３０の下側の、カバーパネル２３に設けられた正方形の穴部４２に対応する位置に正方形で表示され、画像表示領域８２に表示されている画像に対するフェードアウト効果の付加を指示するときに操作される。なお、操作子１３２の下側には、フェードアウト効果を表す「FADE OUT」が表示される。
【０１１３】
操作子１３３は、操作子１３１の下側の、カバーパネル２３に設けられた正方形の穴部４２に対応する位置に正方形で表示され、画像表示領域８２に表示されている画像に対するディゾルブ効果の付加を指示するときに操作される。なお、操作子１３３の下側には、ディゾルブ効果を表す「DISSOLVE」が表示される。
【０１１４】
操作子１３４は、操作子１３２の下側の、カバーパネル２３に設けられた正方形の穴部４２に対応する位置に正方形で表示され、画像表示領域８２に表示されている画像に対するワイプ効果の付加を指示するときに操作される。なお、操作子１３４の下側には、ワイプ効果を表す「WIPE」が表示される。
【０１１５】
操作子１３５は、操作子１３０と１３２の右側の、カバーパネル２３に設けられた長方形の穴部４２に対応する位置に長方形で表示され、１チャネルの音声の音量の変更を指示するときに、長手方向にスライド操作される。また、操作子１３６は、操作子１３５の右側の、カバーパネル２３に設けられた長方形の穴部４２に対応する位置に長方形で表示され、２チャネルの音声の音量の変更を指示するときに、長手方向にスライド操作される。
【０１１６】
ユーザは、所望のチャネルの音量を大きくする場合、そのチャネルに対応する操作子１３５または１３６内を、指などで音量の変更量に対応する分だけ上方向にスライド操作する。一方、ユーザは、所望のチャネルの音量を小さくする場合、そのチャネルに対応する操作子１３５または１３６内を、指などで音量の変更量に対応する分だけ下方向にスライド操作する。なお、操作子１３５と１３６の上側には、操作子１３５と１３６の全体の機能である音量調節の指示を表す「AUDIO MIXER」という文字が表示される。
【０１１７】
操作子１３７は、操作子１３６の右側の、カバーパネル２３に設けられた長方形の穴部４２に対応する位置に長方形で表示され、マスタボリュームの変更を指示するときに、長手方向にスライド操作される。ユーザは、操作子１３７を操作子１３５や１３６と同様に操作することができる。なお、操作子１３７の上側には、操作子１３７の機能であるマスタボリュームの変更の指示を表す「MASTER VOLUME」という文字が表示される。
【０１１８】
操作子１３８は、操作子１３５の下側の、カバーパネル２３に設けられた正方形の穴部４２に対応する位置に、内部に１チャネルを表す「CH-1」が表示された正方形で表示され、１チャネルの音声データを編集結果に含めるかどうかの選択を指示するときに操作される。
【０１１９】
操作子１３９は、操作子１３６の下側の、カバーパネル２３に設けられた正方形の穴部４２に対応する位置に、内部に２チャネルを表す「CH-2」が表示された正方形で表示され、２チャネルの音声データを編集結果に含めるかどうかの選択を指示するときに操作される。操作子１３８と１３９の上側には、操作子１３８と１３９の全体の機能である音声の選択の指示を表す「AUDIO SELECT」という文字が表示される。
【０１２０】
以上のように、図１０の操作子１１１乃至１３９は、図９に示した操作子情報に基づいて、タッチパネル２１に装着されるカバーパネル２３の穴部４２に対応する位置に、対応する形状で表示されるので、ユーザは、タッチパネル２１の操作子１１１乃至１３８の表示位置に対応する位置を指などで操作し、編集に関する各種の指示を入力することができる。
【０１２１】
また、上述したように、カバーパネル２３は透明な素材で構成されているので、ユーザは、操作子１１１乃至１３９の近傍の、穴部４２に対応する位置以外の位置に表示される操作子１１１乃至１３９の機能を表す文字を、カバーパネル２３を介して視認することができる。その結果、ユーザは、操作子１１１乃至１３９の機能を容易に認識することができる。
【０１２２】
図１１は、種類「EDITOR FOR LEFT HANDER」に対応付けて記録されている操作子情報を示している。
【０１２３】
図１１の操作子情報は、図９の操作子情報と同様に、操作子４１の名前に、その操作子４１の中心の操作子領域３２上の横方向の位置（X）および縦方向の位置（Y）、並びに操作子４１の縦方向の長さ（H）および横方向の長さ（W）、または操作子の直径（D）が対応付けられることにより構成される。
【０１２４】
具体的には、例えば、図１１の例では、操作子情報として、名前「VIDEO SOURCE BUTTON」に、操作子４１の中心の操作子領域３２上の横方向の位置「34」および縦方向の位置「80」、並びに操作子４１の縦方向の長さ「12」および横方向の長さ「12」が対応付けられている。即ち、名前が「VIDEO SOURCE BUTTON」である操作子４１は、操作子領域３２上の横方向の位置が「34」であり、縦方向の位置が「80」である位置を中心として、縦方向の長さが「12」であり、横方向の長さが「12」である正方形で表示される。
【０１２５】
また、図１１の例では、操作子情報として、名前「VIDEO DESTINATION BUTTON」に、操作子４１の中心の操作子領域３２上の横方向の位置「50」および縦方向の位置「80」、操作子４１の縦方向の長さ「12」および横方向の長さ「12」が対応付けられている。
【０１２６】
さらに、図１１の例では、操作子情報として、名前「VIDEO REWIND BUTTON」に、操作子４１の中心の操作子領域３２上の横方向の位置「20」および縦方向の位置「53」、並びに操作子４１の直径「12」が対応付けられている。即ち、名前が「VIDEO REWIND BUTTON」である操作子４１は、操作子領域３２上の横方向の位置が「20」であり、縦方向の位置が「53」である位置を中心として、直径が「12」である円形で表示される。
【０１２７】
図１２は、図１１の操作子情報に基づいて操作子４１が表示された操作子領域３２の画面を示している。
【０１２８】
図１２の操作子１１１乃至１３９は、図１１の操作子情報に基づいて、図１０の場合と同様に、カバーパネル２３に設けられた穴部４２に対応する位置に表示される。なお、図１２において、図１０と同一のものには同一の符号を付してある。
【０１２９】
例えば、図１１の操作子情報のうち、名前「VIDEO SOURCE BUTTON」に対応する情報に基づいて、図１２の操作子１１１は、操作子領域３２上の横方向の位置が「34」であり、縦方向の位置が「80」である位置を中心として表示される。即ち、図１２の操作子１１１は、操作子領域３２の左上側の、カバーパネル２３に設けられた正方形の穴部４２に対応する位置に表示される。
【０１３０】
また、図１１の操作子情報のうちの、名前「VIDEO DESTINATION BUTTON」に対応する情報に基づいて、図１２の操作子１１２は、操作子領域３２上の横方向の位置が「50」であり、縦方向の位置が「80」である位置を中心として表示される。即ち、図１２の操作子１１２は、操作子１１１の右側の、カバーパネル２３に設けられた正方形の穴部４２に対応する位置に表示される。
【０１３１】
さらに、図１１の操作子情報のうちの、名前「VIDEO REWIND BUTTON」に対応する情報に基づいて、図１２の操作子１１３は、操作子領域３２上の横方向の位置が「20」であり、縦方向の位置が「53」である位置を中心として表示される。即ち、図１２の操作子１１３は、操作子１１１の左下側の、カバーパネル２３に設けられた円形の穴部４２に対応する位置に表示される。他の操作子１１４乃至１３９についても同様に、図１１の操作子情報に基づいて、カバーパネル２３に設けられた穴部４２に対応する位置に表示される。
【０１３２】
その結果、図１２の操作子１１１乃至１１８は、操作子領域３２の左側に配置され、図１２の操作子１１１乃至１１７の相対的な位置関係は、図１０の場合と同一であるが、操作子１１８は、操作子１１７の右側に配置される。また、図１２の操作子１１９乃至１２２の配置は、図１０の場合と同一である。
【０１３３】
以上のように、種類が「EDITOR FOR LEFT HANDER」であるカバーパネル２３では、左利きのユーザの使い勝手が良いように、ユーザが編集作業を行う際に頻繁に操作する可能性が高い操作子１１１乃至１２２に対応する穴部４２が、操作子領域３２の、より左側に対応する位置に設けられている。また、種類が「EDITOR FOR LEFT HANDER」であるカバーパネル２３では、左利きのユーザの使い勝手が良いように、図１２の操作子１１７と１１８に対応する穴部４２の相対的な位置関係が、図１０の場合と逆になっている。
【０１３４】
また、図１２の操作子１２３乃至１２８の配置は、図１０の場合と同一である。
【０１３５】
図１２の操作子１２９乃至１３９は、操作子領域３２の右側に配置され、操作子１２９乃至１３４の相対的な位置関係は、図１０の場合と同一であるが、操作子１２９乃至１３４は操作子１３６の右側に配置される。また、図１２の操作子１３５乃至１３７は、左側から操作子１３５，１３６，１３７の順に配置される。さらに、図１２の操作子１３８と１３９は、図１０の場合と同様に、それぞれ、操作子１３５または１３６の下側に配置される。
【０１３６】
以上のように、編集装置１０は、カバーパネル２３の種類に対応する操作子情報に基づいて、操作子４１の配置を変更するので、ユーザは、タッチパネル２１に装着するカバーパネル２３の種類を変更することにより、操作子４１の配置を所望の配置に変更することができる。
【０１３７】
なお、上述した説明では、カバーパネル２３の種類に対応する操作子情報に基づいて、操作子４１の配置が変更されたが、操作子４１の形状や機能が変更されてもよい。この場合、ユーザは、タッチパネル２１に装着するカバーパネル２３の種類を変更することにより、操作子４１の形状や機能を所望の形状や機能に変更することができる。
【０１３８】
次に、図１３を参照して、編集装置１０が操作子領域３２に操作子４１を表示させる表示処理について説明する。この表示処理は、例えば、編集装置１０の電源がオンにされたとき、開始される。
【０１３９】
ステップＳ１において、ＩＤ認識部７１は、設定ボタン２５から入力される設定ボタン情報に基づいて、ユーザにより設定ボタン２５が押下されたかどうかを判定し、設定ボタン２５が押下されていないと判定された場合、設定ボタン２５が押下されるまで待機する。
【０１４０】
一方、ステップＳ１において、設定ボタン２５が押下されたと判定された場合、ステップＳ２において、編集装置１０は、タッチパネル２１に装着されているカバーパネル２３のカバーパネルＩＤを認識する認識処理を行う。この認識処理の詳細については、図１４で後述する。
【０１４１】
ステップＳ３において、決定部７２は、ＩＤ認識部７１により認識されたカバーパネルＩＤに基づいて、そのカバーパネルＩＤが、記録部５８に種類情報として記録されているカバーパネルＩＤであるかどうかを判定する。
【０１４２】
ステップＳ３において、認識されたカバーパネルＩＤが、種類情報として記録されているカバーパネルＩＤであると判定された場合、ステップＳ４において、決定部７２は、種類情報のうちの、そのカバーパネルＩＤに対応付けられているカバーパネル２３の種類に基づいて、そのカバーパネル２３の種類に対応する操作子情報を記録部５８から読み出す。そして、決定部７２は、読み出した操作子情報をタッチパネル２１に装着されているカバーパネル２３の操作子情報として決定し、その操作子情報を表示制御部７３と指令部７５に供給する。
【０１４３】
また、ステップＳ３において、認識されたカバーパネルＩＤが、種類情報として記録されているカバーパネルＩＤではないと判定された場合、ステップＳ５において、表示制御部７３は、ユーザに操作子情報の取得の有無を確認するための画面をディスプレイ２２に表示させる。ここで、ユーザは、指などを用いて、この画面に対する操作を行うことにより、操作子情報の取得の有無を指示する。
【０１４４】
ステップＳ６において、指令部７５は、操作子情報を取得するかどうか、即ち、ユーザが操作子情報の取得の有を指示したかどうかを判定し、操作子情報を取得すると判定した場合、ステップＳ７において、取得部７４は、図３の通信部５９を制御し、ネットワークを介して外部の装置から操作子情報を取得し、決定部７２を介して表示制御部７３に供給する。
【０１４５】
このように、編集装置１０に装着されたカバーパネル２３のカバーパネルＩＤに対応する操作子情報がまだ記録されていない場合、編集装置１０は、外部の装置から操作子情報を取得するので、例えば編集装置１０の製造時に想定されていないカバーパネル２３の新たな種類に応じて操作子４１を表示させることができる。
【０１４６】
ステップＳ８において、表示制御部７３は、決定部７２から供給される操作子情報を、ディスプレイ２２に表示させる。ステップＳ９において、指令部７５は、ユーザにより所望の操作子情報が選択されたかどうか、例えばユーザが指などによりディスプレイ２２に表示される所望の操作子情報に対応する位置に接触したかどうかを判定する。
【０１４７】
ステップＳ９において、ユーザにより所望の操作子情報が選択されていないと判定された場合、取得部７４は、所望の操作子情報が選択されるまで待機する。
【０１４８】
一方、ステップＳ９において、ユーザにより所望の操作子情報が選択されたと判定された場合、ステップＳ１０において、決定部７２は、ユーザにより選択された操作子情報を、タッチパネル２１に装着されているカバーパネル２３の操作子情報として決定し、ＩＤ認識部７１により認識されたカバーパネルＩＤと対応付けて記録部５８に記録させる。また、決定部７２は、その操作子情報を表示制御部７３と指令部７５に供給する。
【０１４９】
ステップＳ１１において、表示制御部７３は、決定部７２から供給される操作子情報に基づいて、ディスプレイ２２の操作子領域３２に操作子４１などを表示させ、処理は終了する。
【０１５０】
この後、ユーザが操作子４１を操作することにより編集処理が行われる。具体的には、タッチパネル２１が、ユーザの操作子４１の操作による接触を検知し、その接触を検知した位置を表す操作位置情報をCPU５１に入力する。CPU５１の指令部７５は、タッチパネル２１から入力される操作位置情報と、決定部７２から供給される操作子情報とに基づいて、編集部７６に各種の指令を供給する。編集部７６は、指令部７５から供給される指令に応じて、編集に関する処理を行う。
【０１５１】
次に、図１４を参照して、図１３のステップＳ２の認識処理について説明する。
【０１５２】
ステップＳ２１において、プッシュスイッチ部２４の各プッシュスイッチ１０１−１乃至１０１−１２(図６)は圧力を感知し、圧力位置情報をCPU５１に入力する。ステップＳ２２において、ＩＤ認識部７１は、プッシュスイッチ部２４から入力される圧力位置情報に基づいて、タッチパネル２１に装着されたカバーパネル２３のカバーパネルＩＤを認識し、そのカバーパネルＩＤを決定部７２に供給して、処理は図１３のステップＳ２に戻る。
【０１５３】
以上のように、編集装置１０は、タッチパネル２１に装着されるカバーパネル２３の種類に応じて操作子情報を決定し、その操作子情報に基づいて操作子４１を表示させるので、ユーザは、タッチパネル２１に装着するカバーパネル２３の種類を変更することにより、操作子４１の配置、形状、または機能の少なくとも１つを所望のものに変更し、操作性を向上させることができる。その結果、ユーザの編集作業の効率を向上させることができる。
【０１５４】
図１５は、本発明を適用した編集装置の他の実施の形態の構成例を示すブロック図である。
【０１５５】
図１５の編集装置２００は、ROM５２、RAM５３、バス５４、入出力インターフェース５５、出力部５７、記録部５８、通信部５９、リムーバブルメディア６１が装着されるドライブ６０、CPU２０１、入力部２０２、およびリーダ２０３により構成され、タッチパネル２１に装着されたカバーパネル２１０の無線ＩＣタグ（RFID（Radio Frequency Identification））２１１(図１７で後述する)に記憶されているカバーパネルＩＤを読み出すことにより、カバーパネルＩＤを認識する。
【０１５６】
なお、図１５において、図３と同一のものには同一の符号を付してあり、説明は繰り返しになるので省略する。
【０１５７】
CPU２０１は、図３のCPU５１と同様に、ROM５２または記録部５８に記憶されているプログラムに従って各種の処理を実行する。CPU２０１、ROM５２、およびRAM５３は、バス５４により相互に接続されている。
【０１５８】
CPU２０１にはまた、図３のCPU５１と同様に、バス５４を介して入出力インターフェース５５が接続されている。入出力インターフェース５５には、タッチパネル２１、設定ボタン２５などよりなる入力部５６、ディスプレイ２２などよりなる出力部５７が接続されている。
【０１５９】
CPU２０１は、図３のCPU５１と同様に、例えば、入力部２０２から入力される指令に対応して各種の処理を実行し、処理の結果を出力部５７に出力する。
【０１６０】
例えば、CPU２０１は、リーダ２０３から入力されるカバーパネルＩＤを、タッチパネル２１に装着されているカバーパネル２１０のカバーパネルＩＤとして認識する。そして、CPU２０１は、図３のCPU５１と同様に、認識したカバーパネルＩＤに基づいて、操作子４１を表示させる。
【０１６１】
また、CPU２０１は、図３のCPU５１と同様に、タッチパネル２１から入力される操作位置情報に対応して編集処理を行う。さらに、CPU２０１は、図３のCPU５１と同様に、エディットリストにしたがって、記録部５８に記録に記録されている画像を再生することにより、編集結果に対応する画像を出力部５７のディスプレイ２２に表示させる。
【０１６２】
入力部２０２は、タッチパネル２１と設定ボタン２５により構成される。リーダ２０３は、カバーパネル２１０に設けられた無線ＩＣタグ２１１と無線通信を行うことにより、無線ＩＣタグ２１１に記憶されているカバーパネルＩＤを読み出す。そして、リーダ２０３は、そのカバーパネルＩＤをCPU２０１に入力する。
【０１６３】
図１６は、図１５のCPU２０１の機能的構成例を示すブロック図である。
【０１６４】
図１６のCPU２０１は、決定部７２、表示制御部７３、取得部７４、指令部７５、編集部７６、およびＩＤ認識部２３１により構成される。なお、図１６において、図４と同一のものには同一の符号を付してあり、説明は繰り返しになるので省略する。
【０１６５】
ＩＤ認識部２３１は、設定ボタン２５から入力される設定ボタン情報に基づいて、リーダ２０３を制御し、タッチパネル２１に装着されたカバーパネル２１０の無線ＩＣタグ２１１に記憶されているカバーパネルＩＤを読み出す。ＩＤ認識部２３１は、読み出したカバーパネルＩＤを、タッチパネル２１に装着されたカバーパネル２３のカバーパネルＩＤとして認識し、決定部７２に供給する。
【０１６６】
次に、図１７を参照して、図１５の編集装置２００におけるカバーパネルＩＤの認識について説明する。
【０１６７】
図１７のＡに示すように、編集装置２００の筐体２１２の内部にはリーダ２０３が設けられている。また、筐体２１２の上部の右端には、設定ボタン２５が設けられている。
【０１６８】
一方、カバーパネル２１０の手前側の面は、図１７のＢに示すようになっており、カバーパネル２１０の底面は、図１７のＣに示すようになっている。即ち、カバーパネル２１０底面には、リーダ２０３に対応する位置に無線ＩＣタグ２１１が設けられている。
【０１６９】
ユーザにより設定ボタン２５が操作されたとき、リーダ２０３は、無線ＩＣタグ２１１にカバーパネルＩＤの送信を要求し、その要求に応じて送信されてくるカバーパネルＩＤを受信する。
【０１７０】
次に、図１８を参照して、図１５の編集装置２００が行う図１３のステップＳ２の認識処理について説明する。
【０１７１】
ステップＳ３１において、ＩＤ認識部２３１は、リーダ２０３を制御し、タッチパネル２１に装着されたカバーパネル２１０の無線ＩＣタグ２１１に、カバーパネルＩＤの送信を要求する。ステップＳ３２において、ＩＤ認識部２３１は、リーダ２０３を制御し、ステップＳ３１で送信した要求に応じて、無線ＩＣタグ２１１から送信されてくるカバーパネルＩＤを受信する。
【０１７２】
ステップＳ３３において、ＩＤ認識部２３１は、受信したカバーパネルＩＤを、タッチパネル２１に装着されたカバーパネル２１０のカバーパネルＩＤとして認識し、そのカバーパネルＩＤを決定部７２に供給して、処理は図１３のステップＳ２に戻る。
【０１７３】
なお、無線ＩＣタグ２１１には、カバーパネルＩＤではなく、操作子情報が記録されるようにしてもよい。この場合、リーダ２０３は、無線ＩＣタグ２１１に操作子情報の送信を要求し、その要求に応じて送信されてくる操作子情報を受信することにより、操作子情報を取得する。従って、CPU２０１には取得部７４を設ける必要はない。
【０１７４】
図１９は、本発明を適用した編集装置のさらに他の実施の形態の構成例を示す斜視図である。
【０１７５】
図１９の編集装置３００は、筐体２０とディスプレイ３０１により構成され、画像領域３１をディスプレイ３０１に設け、操作子領域３２を筐体２０のディスプレイ２２に設ける。即ち、図１９の編集装置３００は、２つのディスプレイ２２と３０１を設け、画像領域３１と操作子領域３０２を、異なるディスプレイに表示する。
【０１７６】
なお、上述した説明では、設定ボタン２５は、筐体２０または２１２の上面に設けられたが、タッチパネル２１上に設けられるようにしてもよい。この場合、タッチパネル２１が、ユーザによる設定ボタン２５の押下を検知する。
【０１７７】
また、上述した説明では、取得部７４は、通信部５９を介して外部の装置から操作子情報を取得したが、リムーバブルメディア６１から操作子情報を取得するようにしてもよい。
【０１７８】
さらに、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１７９】
また、本発明の実施の形態は、上述した実施の形態に限定されるものではなく、本発明の要旨を逸脱しない範囲において種々の変更が可能である。
【図面の簡単な説明】
【０１８０】
【図１】本発明を適用した編集装置の一実施の形態の構成例を示す斜視図である。
【図２】カバーパネルを説明する図である。
【図３】図１の編集装置の構成例を示すブロック図である。
【図４】図３のCPUの機能的構成例を示すブロック図である。
【図５】画像領域に表示される画面の例を示す図である。
【図６】カバーパネルＩＤの認識方法について説明する図である。
【図７】カバーパネルＩＤの認識方法について説明する図である。
【図８】種類情報の例を示す図である。
【図９】操作子情報の例を示す図である。
【図１０】操作子領域の画面の例を示す図である。
【図１１】操作子情報の例を示す図である。
【図１２】操作子領域の他の画面の例を示す図である。
【図１３】表示処理を説明するフローチャートである。
【図１４】認識処理を説明するフローチャートである。
【図１５】本発明を適用した編集装置の他の一実施の形態の構成例を示すブロック図である。
【図１６】図１５のCPUの機能的構成例を示すブロック図である。
【図１７】カバーパネルＩＤの他の認識方法について説明する図である。
【図１８】他の認識処理を説明するフローチャートである。
【図１９】本発明を適用した編集装置のさらに他の一実施の形態の構成例を示す斜視図である。
【符号の説明】
【０１８１】
１０  編集装置，  ２１  タッチパネル，  ２２  ディスプレイ，  ２３  カバーパネル，  ４１  操作子，  ５１  CPU，  ５２  ROM，  ５３  RAM，  ５８  記録部，  ６１  リムーバブルメディア，  ７１  ＩＤ認識部，  ７２  決定部，  ７３  表示制御部，  ７４  取得部
【図１】
2008123163.tif 000003
【図２】
2008123163.tif 000004
【図３】
2008123163.tif 000005
【図４】
2008123163.tif 000006
【図５】
2008123163.tif 000007
【図６】
2008123163.tif 000008
【図７】
2008123163.tif 000009
【図８】
2008123163.tif 000010
【図９】
2008123163.tif 000011
【図１０】
2008123163.tif 000012
【図１１】
2008123163.tif 000013
【図１２】
2008123163.tif 000014
【図１３】
2008123163.tif 000015
【図１４】
2008123163.tif 000016
【図１５】
2008123163.tif 000017
【図１６】
2008123163.tif 000018
【図１７】
2008123163.tif 000019
【図１８】
2008123163.tif 000020
【図１９】
2008123163.tif 000021